(57)【特許請求の範囲】
【請求項１】
通路部に沿って支柱を立設し、支柱の上端部に屋根体を設けた雨除け構築物において、雨除け構築物はコーナー部ユニットと直線部ユニットから形成され、コーナー部ユニットの屋根体を円形状とし、コーナー部ユニットの屋根体の周縁部と直線部ユニットの屋根体の端部を連結可能としたことを特徴とする雨除け構築物。
【請求項２】
コーナー部ユニットの屋根体が合成樹脂により成形され、直線部ユニットの屋根体の端部をコーナー部ユニットの屋根体の周縁部と合致する円弧形状とし、コーナー部ユニットの屋根体の周縁部を直線部ユニットの屋根体の端部に載架したことを特徴とする請求項１に記載の雨除け構築物。
【発明の詳細な説明】
【０００１】
【発明の属する技術分野】
この発明は、門から建物までのアプローチ、公園の遊歩道、建物間の通路等に設置される雨除け構築物であって、特に折れ曲がった通路部に適用し得る雨除け構築物に関するものである。
【０００２】
【従来の技術】
従来、通路部に沿って支柱を立設し、支柱の上端に屋根体を設けた雨除け構築物が知られている。このような雨除け構築物は、支柱並びに屋根フレームを金属材料によって形成し、屋根体のフレーム間に形成される開口部を合成樹脂製の屋根板材を用いて被覆したものが一般的である。
この種の雨除け構築物を折れ曲がった通路部に沿って設置する場合、通路部の折れ曲がり角度に対応するコーナー部の屋根体を製作し、このコーナー部の屋根体に直線部を形成する屋根体を連結した雨除け構築物が知られている（実公平４−１５８４３号公報）。
【０００３】
しかしながら、通路部の折れ曲がり角度は施工現場によって様々であり、雨除け構築物のコーナー部における屋根体は、施工現場の形状に応じて個別に製作する必要がある為、その製作及び施工が甚だ煩雑なものであった。
【０００４】
【発明が解決しようとする課題】
この発明の目的は、折れ曲がり部を有する通路部に対応し得る雨除け構築物であって、通路部の折れ曲がり角度に応じてコーナー部の屋根体を個別に製作したり、種々のコーナー部の屋根体を用意することなく、あらゆる通路部に適用し且つ容易に施工し得る雨除け構築物を提供することにある。
【０００５】
【課題を解決するための手段】
本発明者等は、このような事情に鑑み鋭意検討を重ねた結果、通路部に沿って支柱を立設し、支柱の上端部に屋根体を設けた雨除け構築物において、雨除け構築物はコーナー部ユニットと直線部ユニットから形成され、コーナー部ユニットの屋根体を円形状とし、コーナー部ユニットの屋根体の周縁部と直線部ユニットの屋根体の端部を連結可能としたことによって、所期の目的を達成したものである。
【０００６】
さらに具体的には、コーナー部ユニットの屋根体が合成樹脂により成形され、直線部ユニットの屋根体の端部をコーナー部ユニットの屋根体の周縁部と合致する円弧形状とし、コーナー部ユニットの屋根体の周縁部を直線部ユニットの屋根体の端部に載架したものである。
【０００７】
【作用】
この発明によれば、雨除け構築物のコーナー部ユニットの屋根体を円形状とし、コーナー部ユニットの屋根体の周縁部に直線部ユニットの屋根体の端部を連結可能としているので、コーナー部ユニットに対し直線部ユニットをどの方向からでも連結し得て、通路部の折れ曲がり角度に関わらずあらゆる施工現場に本発明雨除け構築物を設置することができると共に、折れ曲がり角度に合わせた種々のコーナー部ユニットを用意する必要がなく、部品点数を削減並びに施工の簡素化を図ることができる。
【０００８】
さらに、請求項２に記載の発明によれば、直線部ユニットの屋根体の端部をコーナー部ユニットの屋根体の周縁部と合致する円弧形状とし、コーナー部ユニットの屋根体を直線部ユニットの屋根体の端部に載架しているので、コーナー部ユニットと直線部ユニットの連結を至極簡単に行い得るものである。
【０００９】
【発明の実施の形態】
発明の実施の形態を実施例に基づき図面を参照して説明する。
図１ないし図６は本発明雨除け構築物の実施例であり、図中１は折れ曲がり部Ｐ１を有する通路部Ｐに沿って設置した雨除け構築物であり、２はコーナー部ユニット、３は直線部ユニットを表わし、コーナー部ユニット２と直線部ユニット３を連結して雨除け構築物１が構成される。
【００１０】
コーナー部ユニット２は屋根体４のみから形成されており、屋根体４は中央部が上方に向けて膨らんだ円形状を呈するパネル体であり、ポリカーボネート樹脂により一体成形されている。屋根体４の周縁部には雨樋部４１が一体的に形成されており、雨樋部４１の底部には水抜き孔４２が穿設されている。
【００１１】
直線部ユニット３は、通路部Ｐに沿って立設した支柱５と屋根体６から形成されており、支柱５の上部に屋根体６が設けられている。屋根体６の周縁部はアルミニウム製形材により形成した枠フレーム７が配設され、枠フレーム７の上面には一体的に形成された雨樋が開口している。
通路部Ｐと平行となる枠フレーム７間には、上方に向けて円弧状に膨らんだ中間梁７１が配設されており、中間梁７１の上部には上方に向けて膨らんだポリカーボネート樹脂製の屋根板８が載架され、屋根板８の端部が屋根板押え９により枠フレーム７の上面に定着されている。
【００１２】
枠フレーム７におけるコーナー部ユニット２側は、円形状の屋根体４の中心部に向けて屈曲した屈曲部７２が形成されており、その先端にはコーナー部ユニット２の屋根体４の周縁部と合致する円弧状枠フレーム７３が設けられている。円弧状枠フレーム７３は断面コ字状を呈し、上縁段部７４と下縁段部７５が一体的に形成されている。
【００１３】
コーナー部ユニット２に連結される側の連結屋根板８１は、円弧状枠フレーム７３に向けて傾斜し、その先端には雨樋部８２が一体的に形成され、雨樋部８２の先端下面が円弧状枠フレーム７３の下縁段部７５上に載架されている。さらに、連結屋根板８１の雨樋部８２の底面には水抜き孔８３が穿設されており、水抜き孔８３は支柱５に沿って配設される縦雨樋５１に連通している。また、連結屋根板８１も屋根板押え９により、枠フレーム７の屈曲部７２において定着されている。
【００１４】
コーナー部ユニット２の屋根体４における雨樋部４１の内側周縁部は、円弧状枠フレーム７３の上縁段部７４に載架され、枠フレーム７の屈曲部７２上に位置する雨樋部４１の底面がビス１０により屈曲部７２に固着されている。なお、水抜き孔４２は連結屋根板８１の雨樋部８２の上方に位置させている。
【００１５】
以上の構成からなる本発明雨除け構築物を折れ曲がり部Ｐ１を有する通路部Ｐに設置する場合、先ず通路部Ｐの直線部分に沿って直線部ユニット３を設置する。この時、通路部Ｐの折れ曲がり部Ｐ１において突き合わされた直線部ユニット３の折れ曲がり部Ｐ１側は、円弧状枠フレーム７３が同心円弧上に位置するよう所定の間隔を置いて施工する。次に、突き合わされた直線部ユニット３の円弧状枠フレーム７３の上縁段部７４の上面に、コーナー部ユニット２の屋根体４における雨樋部４１の内側周縁部を載架し、屋根体４の雨樋部４１の底面をビス１０を用いて屈曲部７２に固着して、コーナー部ユニット２と直線部ユニット３の連結が完了する。
【００１６】
なお、コーナー部ユニット２の雨樋部４１に予め穿設しておいた水抜き孔４２は、何れか一方の直線部ユニット３の連結屋根板８１の雨樋部８２上に位置させておき、他方の直線部ユニット３の連結屋根板８１の雨樋部８２上に位置する雨樋部４１の底面には、別途水抜き孔を穿設すれば良い。
コーナー部ユニット２の屋根体４上に降り注いだ雨水等は雨樋部４１に流れ込み、水抜き孔４２を通って連結屋根板８１の雨樋部８２に流れ込む。さらに水抜き孔８３を通って縦雨樋５１に流れ込み、排水される。
【００１７】
上記実施例において、枠フレーム７のコーナー部ユニット２と連結される側には屈曲部７２を形成したが、これは直線部ユニット３の幅を広くした場合、図１に２点鎖線で示したように直線部ユニット３の側端部同士が干渉するのを防ぐために設けたものであり、直線部ユニット３の通路幅を互いが干渉しない程度に狭めることによって、敢えて形成しなくても良い。また、直線部ユニット３のコーナー部ユニット２と連結される側において、雨樋部８２を一体的に形成した連結屋根板８１を用いたが、雨樋を円弧状枠フレーム７３に形成することも可能である。コーナー部ユニット２の屋根体４と直線部ユニット３の屋根板８は、ポリカーボネート樹脂により形成したが、これに限定されるものではなくアクリル樹脂等種々の合成樹脂により形成することができる。
【００１８】
【発明の効果】
本発明雨除け構築物によれば、コーナー部ユニットの屋根体を円形状とし、直線部ユニットの屋根体の端部とコーナー部ユニットの屋根体の周縁部を連結可能としたものであるから、コーナー部ユニットと直線部ユニットを用意するだけで、あらゆる角度に折れ曲がった通路部に沿って雨除け構築物を施工することができ、実践面の効果は多大である。
【図面の簡単な説明】
【図１】本発明雨除け構築物の平面図
【図２】本発明雨除け構築物の側面図
【図３】本発明雨除け構築物の要部拡大図
【図４】本発明雨除け構築物の要部拡大縦断面図
【図５】本発明雨除け構築物のコーナー部ユニットの全体図であり（Ａ）は平面図、（Ｂ）は側面図
【図６】本発明雨除け構築物の連結屋根板の全体図であり（Ａ）は平面図、（Ｂ）は側面図
【符号の説明】
１      雨除け構築物
２      コーナー部ユニット
３      直線部ユニット
４      屋根体（コーナー部ユニット）
５      屋根体（直線部ユニット）
【図１】
0003585428.tif 000002
【図２】
0003585428.tif 000003
【図３】
0003585428.tif 000004
【図４】
0003585428.tif 000005
【図５】
0003585428.tif 000006
【図６】
0003585428.tif 000007